(57)【要約】  マグネチックゲームは、複数の固定点（１１）を設けて複数の磁気的に固定可能なゲーム部材（１４、１４’、１５）を選択的に位置付けるゲームボード（１０）を含み、ゲーム部材は第一組の伸長棒状部材（１４、１４’）と第二組の球状部材（１５）を含み、両部材は棒状部材および球状部材（１４、１５）の配置により設けられた多関節体組立部として特徴づけられた組立部の形でボード（１０）上に組立て移動することができ、伸長棒状部材（１４）はさまざまに磁気的に球状部材（１５）およびゲームボード（１０）の固定点（１１）と係合可能であることにより、形態を変化させ多関節体組立部を移動するようにする。【選択図】図６
2007536947.tif 000002
【特許請求の範囲】
【請求項１】
多数の棒状および球状の磁気的に固定可能なゲーム部材（１４、１５）を含み、
競技面（１３）と前記競技面上の相離れた複数の磁気固定点（１１）とを具備するマグネチックゲームボード（１０）と、
第一組の棒状部材（１４）と第二組の球状部材（１５）とを含み、
前記棒状部材（１４）と前記球状部材（１５）は、互いに合致し磁気的に固定可能であることにより、少なくとも第一および第二多関節体組立部（Ａ、Ｂ）を構成し、
それぞれの多関節体組立部（Ａ、Ｂ）の前記棒状部材（１４）は、選択的に同組立部（Ａ、Ｂ）の球状部材（１５）、および／または競技面（１３）の固定点（１１）と係合可能であることにより、その形態を変化させ、それぞれの前記多関節体組立部（Ａ、Ｂ）をゲームボード（１０）上から移動させることができるようにすることを特徴とするマグネチックゲーム。
【請求項２】
前記固定点（１１）が網状模様に配置されることを特徴とする請求項１に記載のマグネチックゲーム。
【請求項３】
前記固定点（１１）は交点上に配置され、かつ通路と平行に配置されることを特徴とする請求項２に記載のマグネチックゲーム。
【請求項４】
前記固定点（１１）は、交差する円形路（２１）上に配置されることを特徴とする請求項２に記載のマグネチックゲーム。
【請求項５】
少なくとも固定点（１１）の一部が少なくとも一つの間隔（Ｐ）で配置されたことを特徴とする請求項１に記載のマグネチックゲーム。
【請求項６】
前記固定点（１１）が異なる間隔（Ｐ１、Ｐ２、Ｐ３）で配置されたことを特徴とする請求項５に記載のマグネチックゲーム。
【請求項７】
前記固定点（１１）間の間隔（Ｐ）はゲームの棒状部材（１４）の両端で磁気的に固定された二つの球状部材（１５）の中心部間の長さと等しいことを特徴とする請求項５に記載のマグネチックゲーム。
【請求項８】
前記固定点（１１）間の間隔（Ｐ）は、長手方向軸に沿って計測して球状部材（１５）の直径（Ｄ）と棒状部材（１４）の軸方向の長さの合計と等しいことを特徴とする請求項７に記載のマグネチックゲーム。
【請求項９】
前記ゲームボード（１０）は磁気材料からなる内部層（１６）を含む層構造体を具備することを特徴とする請求項１に記載のマグネチックゲーム。
【請求項１０】
前記ゲームボード（１０）は磁気材料のシートからなることを特徴とする請求項１に記載のマグネチックゲーム。
【請求項１１】
前記ゲームボード（１０）は、強磁性材料のシートからなることを特徴とする請求項１０に記載のマグネチックゲーム。
【請求項１２】
前記ゲームボード（１０）は強磁性充填材を含むプラスチックシート材料からなることを特徴とする請求項１０に記載のマグネチックゲーム。
【請求項１３】
前記固定点（１１）は競技面（１３）上にある印を付けた固定点（１１）からなることを特徴とする請求項１に記載のマグネチックゲーム。
【請求項１４】
前記の印を付けた固定点（１１）はゲームボード（１０）の上部競技面（１３）上の複数の孔からなることを特徴とする請求項１３に記載のマグネチックゲーム。
【請求項１５】
前記の印を付けた固定点（１１）は、複数の印刷されたマークからなることを特徴とする請求項１３に記載のマグネチックゲーム。
【請求項１６】
前記ゲームボード（１０）の前記競技面は異なるゲーム領域および／またはゲーム区域（１２、１３）を含むことを特徴とする請求項１に記載のマグネチックゲーム。
【請求項１７】
前記ゲームボード（１０）の前記競技面はゲーム部材（１４’）の開始位置を示し、同じゲームボード（１０）の少なくとも二つの対向縁部に沿って延在するマーク（１１’）を含むことを特徴とする請求項１に記載のマグネチックゲーム。
【請求項１８】
前記ゲームボード（１０）上で異なる固定点（１１）に設置可能な補足的ゲーム部材（１４”、１５’）を含むことを特徴とする請求項１に記載のマグネチックゲーム。
【請求項１９】
前記ゲームボード（１０）は印を付けた固定点（１１）に合わせて永久磁石を含むことを特徴とする請求項１に記載のマグネチックゲーム。
【請求項２０】
前記ゲームボード（１０）は前記固定点（１１）に合わせて強磁性挿入部を含むことを特徴とする請求項１に記載のマグネチックゲーム。
【請求項２１】
各棒状ゲーム部材および／または球状ゲーム部材（１４、１５）が磁石からなることを特徴とする請求項１に記載のマグネチックゲーム。
【請求項２２】
各棒状ゲーム部材および／または球状ゲーム部材（１４、１５）が少なくとも一つの磁石からなることを特徴とする請求項１に記載のマグネチックゲーム。
【請求項２３】
各伸長棒状部材（１４、１４’）が少なくとも一つの磁石および強磁性部材からなることを特徴とする請求項１に記載のマグネチックゲーム。
【請求項２４】
各棒状部材（１４、１４’）が第一磁石および第二磁石と中間部材からなることを特徴とする請求項２３に記載のマグネチックゲーム。
【請求項２５】
前記中間部材は強磁性材料からなることを特徴とする請求項２４に記載のマグネチックゲーム。
【請求項２６】
前記中間部材は非磁気材料からなることを特徴とする請求項２４に記載のマグネチックゲーム。
【請求項２７】
前記球状部材（１５）は前記棒状部材（１４、１４’）の断面よりも長い直径を具備することを特徴とする請求項１に記載のマグネチックゲーム。
【請求項２８】
前記ゲーム部材（１４、１５）のうちの一つは少なくとも一つの磁石を含み、ゲーム部材（１４、１５）の他の一つは強磁性材料を含むことを特徴とする請求項１に記載のマグネチックゲーム。
【発明の詳細な説明】
【技術分野】
【０００１】
本発明は、複数の挑戦者で競技するように設計され、ゲームボードと、磁気的かつ選択的に相互に固定可能であり、かつ相離れた固定点に合わせてゲームボードに磁気的かつ選択的に固定可能な複数のゲーム部材からなるマグネチックゲームに関する。
【背景技術】
【０００２】
周知のマグネチックゲームは、網状構成または格子構造体を可能とするよう設計されているが、平面的あるいは空間的構造または配置に従えば、実質的には一組の伸長形状または棒状の部材と当該棒状部材に磁気的に接続可能な一組の球状部材とからなる。そのようなマグネチックゲームは、例えば国際公開第９９／６０５８３号パンフレット、独国特許出願公開第３９１０３０４号明細書、米国特許第２，９７０，３８８号明細書で知られている。
【０００３】
それらは様々な形状および大きさの網状構成または格子構造体を許容するにもかかわらず、これらのゲームは特定の用途しか持たず、それ自体を目的とする。
【０００４】
上記文献のいずれも、前記の磁気的に固定可能な部材を他種のゲームにさまざまに利用することを記載あるいは示唆するものではなく、例えばチェッカー、チェスといった従来のゲームまたは他の類似するゲームに匹敵する方法で複数の競技者または挑戦者の間で行う競技に適したゲームへの利用を記載あるいは示唆するものではない。
【発明の開示】
【発明が解決しようとする課題】
【０００５】
それゆえ、本発明の主要な目的は、複数の挑戦者間で競技を行なうことができ、新規かつさまざまな方法で既知のゲーム、例えば上述の文献に示されたゲームの磁気的に固定可能な部材を使用することができるマグネチックゲームを提供することにある。
【０００６】
本発明の目的はまた、競技中に非常に変化に富み刺激的であり、特定のスキームおよび規則に従い競技することができ、同時に競技しやすい上述のマグネチックゲームを提供することにある。
【０００７】
さらに、本発明の目的は、少数の構成要素からなり費用を制限した上述のマグネチックゲームを提供することにある。
【０００８】
また、さまざまなゲーム戦略を採用し競技者の技術を向上させることを可能とし、競技中に競技者の論理的思考を刺激し、可能なさまざまのゲームの競技方法に関してさまざまな程度の困難性を提供する上述のようなマグネチックゲームを提供することにある。
【課題を解決するための手段】
【０００９】
上記のことは、請求項１に記載のマグネチックゲームにより達成される。
【００１０】
より詳細には、マグネチックゲームに係る本発明によれば、前記マグネチックゲームは、多数の棒状および球状の磁気的に固定可能なゲーム部材を含み、
競技面と前記競技面上の相離れた複数の磁気的固定点とを具備するマグネチックゲームボードと、
第一組の棒状部材と第二組の球状部材とを含み、
前記棒状部材と前記球状部材は、互いに合致し磁気的に固定可能であることにより、少なくとも第一および第二多関節体組立部を構成し、
それぞれの多関節体組立部の前記棒状部材は、選択的に同組立部の球状部材、および／または競技面の固定点と係合可能であることにより、その形態を変化させ、それぞれの前記多関節体組立部をゲームボード上から移動させることができるようにすることを特徴とする。
【００１１】
固定点は、一定の間隔または所定の値の間隔でゲームボードの競技面上に要求に応じてさまざまに配置することができる。
【００１２】
ゲームを構成するゲームボード、伸長部材あるいは棒状部材および球状部材はさまざまに構成することができる。例えば、ゲームボードは鉄粉充填材を含むプラスチック材料のシートのような磁気導電金属材料の金属パネルから構成することができ、またはさまざまな固定点に合わせてゲームの磁気棒状部材のための固定領域を提供する方法で形成された網状金属構造体から構成することができる。
【００１３】
単純な磁気金属シートまたは網状の磁気構造体を用いる代わりに、ゲームボードは層構造を具備することができ、またはさまざまな固定点に合わせた磁石または強磁性挿入部を含むことができる。
【００１４】
球状および棒状のゲーム部材は両者とも次々と適切に帯磁することが可能となる。すなわち、両ゲーム部材は、永久磁石を含みもしくは永久磁石から構成することができ、または単純な強磁性要素から構成することができる。
【００１５】
さらに、ゲームボードの競技面は、要求に応じていくつかの競技領域に分割することができ、例えば図式的記号もしくはさまざまな色彩により、または他の適当な手段により分割することができる。
【００１６】
ゲームボード上のゲーム部材の固定点は、好適かつ非排他的には正方形メッシュである多角形メッシュを備えた網状デザインの交点と合わせてさまざまに配置され、またはゲームボードの競技面に同軸上もしくは別々に配置された複数の円からなる網状デザインに沿ってさまざまに配置することができる。網状デザインの形状にかかわらず、少なくとも一部の固定点の間に存在する間隔の長さは、長手方向軸に沿って計測して球状部材の直径と伸長棒状部材の軸の長さの合計と等しくし、またはより一般的には棒状部材が多関節体組立部の構成および動作において配置される二つの隣接した球状部材の中心部間の間隙と等しくすることもできる。
【００１７】
好適な実施形態によれば、ゲームボードは中央競技領域と、多関節体組立部を構成するさまざまな棒状部材および球状部材の開始位置を印した辺縁部を具備することができる。
【００１８】
以下では、添付の図面を参照して、本発明のマグネチックゲームの更なる特徴または可能な実施形態をより明確に開示する。
【発明を実施するための最良の形態】
【００１９】
図で示されるように、本発明に記載のマグネチックゲームは、例えば八角形状のゲームボード１０を含み、ゲームボード１０は適切に印された複数の固定点１１を設けて以下で説明する多数のゲームの伸長形状または棒形状の部材を磁気的に固定する。説明の目的上、「磁気的」という用語は、磁石等の磁気的に活動するあらゆる要素もしくは材料、磁石を含むゲーム部材、または磁気的に活動するゲーム要素の誘導により一時的に帯電しうる強磁性部材あるいは材料の磁気的属性を意味する。
【００２０】
図１の例では、ボード１０は辺縁領域１３によって囲まれた中央競技領域１２を具備する競技面を含んで、ゲーム開始時におけるさまざまなゲーム部材の開始位置を決める。
【００２１】
しかしながら、ゲームボード１０は適当な形状を取ることができ、一つ以上の競技領域や部分に分割され、またはどんな方法でも構成することができる。同様に、ゲーム部材の固定点１１は、模様に応じてさまざまな方法で印付けることができ、そして固定点１１はあらゆる種類の網状構造体やデザインの交点と一致する。
【００２２】
図１の例において、ゲーム部材のために印を付けた固定点１１は、正方形メッシュを具備する格子模様または網状デザインの交点に合わせて配置され、または二つの交差する方向に従う平行な列に沿って配置され、さまざまな固定点１１の間の間隔Ｐは一定であり、かつ網状配置の隣接した交点間の間隙と等しい。
【００２３】
固定点１１のデザイン配置は、あらゆる型もしくは形状を取ることができ、または個別の固定点１１が、ゲームボード１０上に多様に分布し所定の半径を有する円形路に沿って相互に角度を持って間隔をとり、かつそれぞれの円に沿った周辺の固定点が相互にあらゆる距離の間隔をとることができるが、一方で固定点は少なくとも一つの所定の間隔により相互に離されている。このことについてはさらに図６の例を参照して説明する。
【００２４】
本発明のマグネチックゲームはまた、第一組の例えば棒形状の伸長ゲーム部材１４、１４’と、第二組の球状のゲーム部材１５を含み、各棒状部材１４は二つの球状部材１５の間に磁気的に固定可能であり、一方で棒状部材１４’は球状部材１５およびゲームボードの固定点１１の間に磁気的に固定可能であることにより、例えば、図１および３で示す一連の棒状部材１４と球状部材１５からなる多関節体等のいくつかの部分からなる多関節体を具備する一種の「キャタピラー」ＡおよびＢを形成するようにする。
【００２５】
このように構成されたキャタピラーの本体部はまた、当該本体部の棒状部材１４に完全に対応する複数の「脚部」１４’を含んで当該本体部をゲームボード１０に固定し、棒状部材１４’はゲームボード１０上で各球状部材１５と各固定点１１の間に延在する。
【００２６】
本体部の諸部材１４および１５と脚部１４’の間の関節だけでなく、本体部の諸部材１４および１５と脚部１４’の間の磁気的係合を、競技中に球状部材１５およびゲームボードの印を付けた固定点から選択的に取り外すことができることにより、各挑戦者はゲームボード上でキャタピラーあるいは多関節体組立部Ａ、Ｂを自由にかつ多様に移動させることができ、多関節体および各「キャタピラー」の脚部を形成する諸伸長部材または棒状部材１４、１４’を球状部材１５および種々に印を付けた固定点に対して選択的に取り外しかつ再び係合することによりゲームの所定のルールに従った特定の要求に応じて自由かつ多様に移動させることができる。
【００２７】
ゲームボード１０はあらゆる適切な方法で構成して、印を付けた諸点１１に合わせてゲーム部材１４’を磁気的に固定することができる。
【００２８】
例えば、図４に示すように、ボード１０は強磁性シート材料からなる中間層１６と、木材、プラスチック、繊維、ボール紙あるいは他の非磁気材料のような適切な材料からなる底部保護層１７と、ゲーム面１３を特徴付け底部保護層１７と同様の方法で非磁気材料からなる上部層１８を含む積層構成とすることができる。
【００２９】
棒状部材１４’のための固定点１１に合わせて必要な印付けをする目的で、図４に示す例では、上部層１８は棒状部材１４’よりも大きな直径の複数の孔１１を備えることにより、強磁気層１６に棒状部材１４'が接触することができるようにする。
【００３０】
図４に示す解決法の代替案として、目的に適っているのであれば、ゲームボード１０はどんな方法でも構成することができ、固定点１１はまたどんな方法でも印付けることができる。
【００３１】
例えば、上部層１８は省略することができ、その場合、磁気材料のシート１６は適切に扱われて酸化を防ぎ、例えば印刷記号、円、円盤または同様なものによって諸固定点１１に合わせて印付けることができる。
【００３２】
図５に示す他の実施形態によれば、ボード１０は木材、プラスチック材料または他の非磁気材料から構成することができ、永久磁石もしくは強磁性挿入部の円盤状部材２０がゲームボード１０の固定点１１に合わせて組み込まれている。他の解決法は明らかに可能である。
【００３３】
それゆえ、ボード１０の構成に応じて諸固定点１１がどんなふうに印付けられても、マグネチックゲーム部材１４、１４’および１５はボード１０上に選択的かつ別個に係合し移動することができる。
【００３４】
例えば、図３のボード１０または同様の解決法の場合、伸長ゲーム部材１４および１４’は円筒型または多角形の形状で、単独の永久磁石から構成することができ、または国際公開第９９／６０５８３号パンフレットや独国特許出願公開第３９１０３０４号明細書に記載するような一つ以上の磁石および強磁性部材を含むことができる。
【００３５】
球状部材１５が磁石からなるかまたは磁石を含む場合であり、かつゲームボード１０が固定点において永久磁石２０を含む場合には、強磁性材料の単純な棒の形で伸長ゲーム部材１４および１４’を形成することも可能である。
【００３６】
「キャタピラー」の本体部および脚部または多関節体組立部を構成する諸ゲーム部材１４、１４’および１５間で十分な関節動作ができるように、球状部材１５は、ゲームのゲーム部材１４、１４’および１５の間の接触面領域に合わせて測定して、伸長棒状部材１４、１４’の直径もしくは断面と等しいかまたはより大きな直径Ｄを具備することが好ましい。さらに、ゲーム領域上で選択的な多関節動作をすることができるように、ゲームの各球状部材１５の直径Ｄと伸長棒状部材１４および１４’の長さの合計は、長手方向軸に沿って対向する両端の間で測定して、ゲームボードの隣接する固定点１１の中心部間の間隔Ｐと等しくなるようにすることが好ましい。
【００３７】
添付図面の図６は、ゲームボード１０のさらなる実施形態に関する。図２のゲームボード１０と異なり、図６では固定点は円形路２１に沿って配置され、ゲームボード１０の競技面上でそれぞれ嵌合し、交差する。
【００３８】
図６の例で示すように、同じ円または異なる円上の固定点１１は、同じ間隔または異なる間隔で配置することができ、より正確には、全ての円上のいくつかの固定点１１は、同じ円２１の曲率半径に対応して第一の間隔Ｐ１で配置することができる。第一間隔Ｐ１は、同円２１の中央固定点１１Ａと辺縁固定点１１の間の距離である。
【００３９】
円形路２１の配置および特徴に従って、異なる円上のいくつかの固定点１１はＰ１よりも小さい第二間隔Ｐ２で配置することができ、一方で円間の交差点でいくつかの他の固定点１１は、第一、第二間隔より小さい第三間隔Ｐ３を設けて隣接する固定点から離して配置することができる。
【００４０】
大まかに言えば、通路のデザインに応じてゲームボードの固定点１１は一つ以上の共通に関係する間隔により相互に配置することができる。
【００４１】
添付図面に記載され示されていることから、全く新しい型のマグネチックゲームが提供され、複数の競技者が同時に相互に競合することができ、それによって非常に刺激的で面白いゲームを形成することができる。
【００４２】
マグネチックゲームの他の特徴によれば、少なくとも二つの対向する縁部に沿ったボード１０は、いくつかの固定点１１’と本体組立部を形成するゲーム部材１４および１５の開始位置を示す印を含むことができる。組立部を構成するゲーム部材に加えて、ゲームはまた、補足的マグネチックゲーム部材１４”、１５”を含むことによりゲームの所定のルールに応じてゲームボード上でゲーム部材１４”、１５”を位置付けおよび／または移動することができる。
【００４３】
しかしながら、添付図面を参照して説明し示したものは、純粋にゲームボード１０とゲーム部材１４、１４’、１４”および１５、１５”双方のいくつかの可能な実施形態を示す例であり、そのためゲームボード１０および印を付けた固定点１１双方とそれらの配置、およびマグネチックゲーム部材はまた、添付の特許請求の範囲内で別の形態をとることができる。さらに、キャタピラー本体部または同等な多関節体組立部は、二つの球状部材１５、二つの球状部材の間に配置される一つの伸長棒状部材１４およびゲームボードに固定するための二つの棒状部材１４’のみを含む最小値から始めて、ゲーム部材をいくつでも含むことができる。
【図面の簡単な説明】
【００４４】
【図１】ゲームボードおよび多関節体組立部の斜視図を示す。
【図２】図１のゲームボードの平面図を示す。
【図３】図１の線３−３に沿った拡大図を示す。
【図４】拡大詳細図を示す。
【図５】更なる実施形態のゲームボードの詳細図を示す。
【図６】ゲームボードの更なる実施形態の平面図を示す。
【図１】
2007536947.tif 000003
【図２】
2007536947.tif 000004
【図３】
2007536947.tif 000005
【図４】
2007536947.tif 000006
【図５】
2007536947.tif 000007
【図６】
2007536947.tif 000008
【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
多数の棒状および球状の磁気的に固定可能なゲーム部材（１４、１５）を含み、
競技面（１３）と前記競技面上の相離れた複数の磁気固定点（１１）とを具備するマグネチックゲームボード（１０）と、
第一組の棒状部材（１４）と第二組の球状部材（１５）とを含み、
前記棒状部材（１４）と前記球状部材（１５）は、互いに合致し磁気的に固定可能であることにより、少なくとも第一および第二多関節体組立部（Ａ、Ｂ）を構成し、
それぞれの多関節体組立部（Ａ、Ｂ）の前記棒状部材（１４）は、選択的に同組立部（Ａ、Ｂ）の球状部材（１５）、および／または競技面（１３）の固定点（１１）と係合可能であることにより、その形態を変化させ、それぞれの前記多関節体組立部（Ａ、Ｂ）をゲームボード（１０）上から移動させることができるようにすることを特徴とするマグネチックゲーム。
【請求項２】
前記固定点（１１）が網状模様に配置されることを特徴とする請求項１に記載のマグネチックゲーム。
【請求項３】
前記固定点（１１）は交点上に配置され、かつ通路と平行に配置されることを特徴とする請求項２に記載のマグネチックゲーム。
【請求項４】
前記固定点（１１）は、交差する円形路（２１）上に配置されることを特徴とする請求項２に記載のマグネチックゲーム。
【請求項５】
前記固定点（１１）が異なる間隔（Ｐ１、Ｐ２、Ｐ３）で配置されたことを特徴とする請求項５に記載のマグネチックゲーム。
【請求項６】
前記ゲームボード（１０）は磁気材料からなる内部層（１６）を含む層構造体を具備することを特徴とする請求項１に記載のマグネチックゲーム。
【請求項７】
前記ゲームボード（１０）は磁気材料のシートからなることを特徴とする請求項１に記載のマグネチックゲーム。
【請求項８】
前記ゲームボード（１０）は、強磁性材料のシートからなることを特徴とする請求項１０に記載のマグネチックゲーム。
【請求項９】
前記ゲームボード（１０）は強磁性充填材を含むプラスチックシート材料からなることを特徴とする請求項１０に記載のマグネチックゲーム。
【請求項１０】
前記の印を付けた固定点（１１）はゲームボード（１０）の競技面（１３）上の複数の孔からなることを特徴とする請求項１に記載のマグネチックゲーム。
【請求項１１】
前記の印を付けた固定点（１１）は、複数の印刷されたマークからなることを特徴とする請求項１に記載のマグネチックゲーム。
【請求項１２】
前記ゲームボード（１０）の前記競技面は異なるゲーム領域および／またはゲーム区域（１２、１３）を含むことを特徴とする請求項１に記載のマグネチックゲーム。
【請求項１３】
前記ゲームボード（１０）の前記競技面は多関節体組立部（Ａ、Ｂ）の開始位置を示し、少なくとも二つの対向縁部に沿って延在するマーク（１１’）を含むことを特徴とする請求項１に記載のマグネチックゲーム。
【請求項１４】
前記ゲームボード（１０）上で異なる固定点（１１）に設置可能な補足的ゲーム部材（１４”、１５’）を含むことを特徴とする請求項１に記載のマグネチックゲーム。
【請求項１５】
前記ゲームボード（１０）は印を付けた固定点（１１）に合わせて永久磁石を含むことを特徴とする請求項１に記載のマグネチックゲーム。
【請求項１６】
前記ゲームボード（１０）は前記固定点（１１）に合わせて強磁性挿入部を含むことを特徴とする請求項１に記載のマグネチックゲーム。
【請求項１７】
各棒状部材および／または球状部材（１４、１５）が磁石からなることを特徴とする請求項１に記載のマグネチックゲーム。
【請求項１８】
各棒状ゲーム部材および／または球状ゲーム部材（１４、１５）が少なくとも一つの磁石からなることを特徴とする請求項１に記載のマグネチックゲーム。
【請求項１９】
各伸長棒状部材（１４、１４’）が少なくとも一つの磁石および強磁性部材からなることを特徴とする請求項１に記載のマグネチックゲーム。
【請求項２０】
各棒状部材（１４、１４’）が第一磁石および第二磁石と中間部材からなることを特徴とする請求項１９に記載のマグネチックゲーム。
【請求項２１】
前記中間部材は強磁性材料からなることを特徴とする請求項２０に記載のマグネチックゲーム。
【請求項２２】
前記中間部材は非磁気材料からなることを特徴とする請求項２０に記載のマグネチックゲーム。
【請求項２３】
前記球状部材（１５）は前記棒状部材（１４、１４’）の断面よりも長い直径を具備することを特徴とする請求項１に記載のマグネチックゲーム。
【請求項２４】
前記ゲーム部材（１４、１５）のうちの一つは少なくとも一つの磁石を含み、ゲーム部材（１４、１５）の他の一つは強磁性材料を含むことを特徴とする請求項１に記載のマグネチックゲーム。
【手続補正２】
【補正対象書類名】明細書
【補正対象項目名】０００２
【補正方法】変更
【補正の内容】
【０００２】
周知のマグネチックゲームは、網状構成または格子構造体を可能とするよう設計されているが、平面的あるいは空間的構造または配置に従えば、実質的には一組の伸長形状または棒状の部材と当該棒状部材に磁気的に接続可能な一組の球状部材とからなる。そのようなマグネチックゲームは、例えば国際公開第９９／６０５８３号パンフレット、独国特許出願公開第３９１０３０４号明細書、米国特許第２，９７０，３８８号明細書、独国特許出願公開第２０２０８７６３号明細書および米国特許第４，２２６，４２１号明細書で知られている。
【国際調査報告】
2007536947.tif 000009
2007536947.tif 000010
2007536947.tif 000011